(57)【要約】【課題】製品時の表示品位を忠実に再現し、高精度検査を実現する点灯検査装置を提供することを目的とする。【解決手段】ディスプレイパネル１０の引出し電極に電気的に接触する接触子１５１、１６１をディスプレイパネル１０の電極に対応して複数個配設してなるパネル点灯ユニット１５、１６と、このパネル点灯ユニット１５、１６の接触子１５１、１６１を前記ディスプレイパネル１０の電極端子ブロックに押し付けてディスプレイパネル１０の引出し電極に接触子１５１、１６１の取出し電極を接触させる接続ユニット１７、１８とを備え、前記パネル点灯ユニット１５、１６と接続ユニット１７、１８をディスプレイパネル１０に対して移動可能とした。【選択図】  図１
2004170235.tif 000002
【特許請求の範囲】
【請求項１】
複数の引出し電極を有する電極端子ブロックを複数配置してなるディスプレイパネルの点灯検査装置において、前記ディスプレイパネルの引出し電極それぞれに電気的に接触する複数の取出し電極を有する接触子を前記ディスプレイパネルの電極端子ブロックに対応して複数個配設しかつ前記接触子にディスプレイパネルを点灯表示させるための点灯信号発生手段から信号を供給するように構成したパネル点灯ユニットと、このパネル点灯ユニットの接触子を前記ディスプレイパネルの電極端子ブロックに押し付けてディスプレイパネルの引出し電極に接触子の取出し電極を接触させる接続ユニットとを備え、前記パネル点灯ユニットと接続ユニットをディスプレイパネルに対して移動可能としたことを特徴とするディスプレイパネルの点灯検査装置。
【請求項２】
複数の引出し電極を有する電極端子ブロックを複数配置してなるディスプレイパネルの点灯検査装置において、前記ディスプレイパネルの引出し電極それぞれに電気的に接触する複数の取出し電極を有する接触子を前記ディスプレイパネルの電極端子ブロックに対応して複数個配設しかつ前記接触子にディスプレイパネルを点灯表示させるための点灯信号発生手段から信号を供給するように構成したパネル点灯ユニットと、このパネル点灯ユニットの接触子を前記ディスプレイパネルの電極端子ブロックに押し付けてディスプレイパネルの引出し電極に接触子の取出し電極を接触させる接続ユニットとを備え、引出し電極が下面側になるように前記ディスプレイパネルを装置に装着するとともに、前記接触子の取出し電極を前記引出し電極に対向するように上面側に配置し、かつ前記接続ユニットをディスプレイパネルに対して移動可能としたことを特徴とするディスプレイパネルの点灯検査装置。
【請求項３】
接続ユニットは、ディスプレイパネルを装置に脱着する時、ディスプレイパネルから離れる方向に移動するように制御されるものである請求項１または２記載のディスプレイパネルの点灯検査装置。
【発明の詳細な説明】
【０００１】
【発明の属する技術分野】
本発明は、液晶ディスプレイやプラズマディスプレイなどのディスプレイパネルに駆動回路を組み合わせる前に、ディスプレイパネルに点灯信号を入力して表示し、画質検査を行うディスプレイパネルの点灯検査装置に関する。
【０００２】
【従来の技術】
一般に、液晶ディスプレイやプラズマディスプレイなどのディスプレイパネルはパネルに駆動回路が実装され製品化される。製造工程では、実装工程への不良パネルの流出を防ぐため、駆動回路実装前に点灯信号を入力し、点灯検査を行っている。
【０００３】
この種のディスプレイパネルの点灯検査装置として、検査用プローブピンを用いたもの（特許文献１参照）が知られているが、この検査用プローブピンに代えて、フレキシブルプリント回路（ＦＰＣ）に形成した電極を点灯検査用のプローブとして用いることも考えられている。
【０００４】
【特許文献１】
特許第２９５３０３９号公報
【０００５】
【発明が解決しようとする課題】
一般に、ディスプレイパネルは表示領域に複数本の電極を有しており、そしてその表示エリア外の端部には、前記電極を延長するとともに間隔を狭くすることにより、複数の引出し電極を有する電極端子ブロックが複数配置されている。このディスプレイパネルの引出し電極における電極のピッチは、例えば、４２型のプラズマディスプレイパネルのアドレス電極を例に挙げれば、３００μｍ程度の電極間ピッチとなる。
【０００６】
そして、ＦＰＣを点灯検査用のプローブとして用いる検査方法においては、このようなディスプレイパネルの引出し電極に、ＦＰＣからなる点灯検査用のプローブの取出し電極を接触させるとともに、そのプローブをディスプレイパネルに押し付け、前記プローブを通してディスプレイパネルに通電を行って点灯させることにより、点灯検査を行っている。
【０００７】
また、従来の点灯検査装置においては、装置にディスプレイパネルを脱着する際に、ディスプレイパネルと検査用のプローブおよび押付け機構部分とが干渉しないようにするために、検査用のプローブおよび押付け機構部分を移動可能な構造とし、そしてそのプローブと点灯信号発生手段とは、プローブが移動してもプローブと点灯信号発生手段との接続状態が維持できるように、ＦＰＣなどにより配線を行っている。
【０００８】
しかしながら、このような従来の構成において、プローブが移動してもプローブと点灯信号発生手段との接続状態が維持できるようにするためには、ＦＰＣなどの配線をある程度長くする必要があり、その結果実際の製品になったときのディスプレイパネルと駆動回路との間の配線に比べ、点灯検査装置の配線が長くなってしまう。そして、点灯検査装置の配線が長くなってしまうことにより、その配線部分を通して、点灯信号発生手段からの駆動波形に歪やノイズが重畳し易くなり、これにより点灯検査装置において、製品時の表示品位が再現できず、検査精度が低くなり、後工程への不良パネルの流出を招いてしまっていた。
【０００９】
本発明は、このような課題に鑑みなされたもので、製品時の表示品位を忠実に再現し、高精度検査を実現する点灯検査装置を提供することを目的とする。
【００１０】
【課題を解決するための手段】
上記課題を解決するために本発明は、ディスプレイパネルの引出し電極それぞれに電気的に接触する複数の取出し電極を有する接触子を前記ディスプレイパネルの電極端子ブロックに対応して複数個配設しかつ前記接触子にディスプレイパネルを点灯表示させるための点灯信号発生手段から信号を供給するように構成したパネル点灯ユニットと、このパネル点灯ユニットの接触子を前記ディスプレイパネルの電極端子ブロックに押し付けてディスプレイパネルの引出し電極に接触子の取出し電極を接触させる接続ユニットとを備え、前記パネル点灯ユニットと接続ユニットをディスプレイパネルに対して移動可能としたものである。
【００１１】
【発明の実施の形態】
すなわち、本発明の請求項１に記載の発明は、複数の引出し電極を有する電極端子ブロックを複数配置してなるディスプレイパネルの点灯検査装置において、前記ディスプレイパネルの引出し電極それぞれに電気的に接触する複数の取出し電極を有する接触子を前記ディスプレイパネルの電極端子ブロックに対応して複数個配設しかつ前記接触子にディスプレイパネルを点灯表示させるための点灯信号発生手段から信号を供給するように構成したパネル点灯ユニットと、このパネル点灯ユニットの接触子を前記ディスプレイパネルの電極端子ブロックに押し付けてディスプレイパネルの引出し電極に接触子の取出し電極を接触させる接続ユニットとを備え、前記パネル点灯ユニットと接続ユニットをディスプレイパネルに対して移動可能としたことを特徴とする。
【００１２】
また、請求項２に記載の発明は、複数の引出し電極を有する電極端子ブロックを複数配置してなるディスプレイパネルの点灯検査装置において、前記ディスプレイパネルの引出し電極それぞれに電気的に接触する複数の取出し電極を有する接触子を前記ディスプレイパネルの電極端子ブロックに対応して複数個配設しかつ前記接触子にディスプレイパネルを点灯表示させるための点灯信号発生手段から信号を供給するように構成したパネル点灯ユニットと、このパネル点灯ユニットの接触子を前記ディスプレイパネルの電極端子ブロックに押し付けてディスプレイパネルの引出し電極に接触子の取出し電極を接触させる接続ユニットとを備え、引出し電極が下面側になるように前記ディスプレイパネルを装置に装着するとともに、前記接触子の取出し電極を前記引出し電極に対向するように上面側に配置し、かつ前記接続ユニットをディスプレイパネルに対して移動可能としたことを特徴とする。
【００１３】
また、請求項３に記載の発明は、請求項１または２において、接続ユニットは、ディスプレイパネルを装置に脱着する時、ディスプレイパネルから離れる方向に移動するように制御されるものであることを特徴とする。
【００１４】
以下、本発明の一実施の形態によるディスプレイパネルの点灯検査装置について、図１〜図５の図面を用いて説明する。
【００１５】
図１に本発明の一実施の形態による点灯検査装置の全体構成を示し、図２〜図４にその要部構成を示している。図において、１０はプラズマディスプレイパネルなどのディスプレイパネルで、このディスプレイパネル１０の周辺端部には、図２に示すように、電極１０１を延長することにより形成された複数の引出し電極１０２を有する電極端子ブロック１０３が複数配置されている。このディスプレイパネル１０は、本体ベース１１上に配設したパネル保持手段１２により位置決め保持される。
【００１６】
１３、１４はこの本体ベース１１上に、図１の矢印方向に移動可能なように配設した接続制御ブロックで、図１では、ディスプレイパネル１０の一つの角を中心とした両側の辺に対応する２個所の位置に接続制御ブロック１３、１４を配置した例を示しているが、これはディスプレイパネル１０の電極端子ブロック１０３をどの辺に設けるかによって適宜変更するものである。また、図１に示す例では、ディスプレイパネル１０の長辺側と短辺側とで、電極端子ブロック１０３を表裏を反対にして設けており、図１においては、長辺側の電極端子ブロック１０３が上面側にあり、短辺側の電極端子ブロック１０３が下面側になるように配設されており、それぞれに対応させて接続制御ブロック１３、１４が配設されている。
【００１７】
この接続制御ブロック１３、１４は、図３、図４に示すように、スライドベース部１３１、１４１上に、パネル点灯ユニット１５、１６と接続ユニット１７、１８とを搭載することにより構成されている。前記パネル点灯ユニット１５、１６は、前記ディスプレイパネル１０の電極端子ブロック１０３に対応させて、複数個の接触子１５１、１６１をスライドベース部１３１、１４１に取り付けた複数個の保持ブロック１５２、１６２で保持することにより配設し、かつ同様にスライドベース部１３１、１４１上に前記接触子１５１、１６１にディスプレイパネル１０を点灯表示させるための信号を供給する点灯信号発生手段１５３、１６３を配設することにより構成されている。
【００１８】
また、前記接触子１５１、１６１は、図２に示すように、前記ディスプレイパネル１０の引出し電極１０２それぞれに電気的に接触する複数の取出し電極１５１ａ、１６１ａを有しており、絶縁性のフィルム間に銅箔などの導電性パターンを形成したフレキシブルプリント配線板により構成されている。さらに、前記点灯信号発生手段１５３、１６３と前記接触子１５１、１６１とは、配線手段１５４、１６４を介して接続されている。
【００１９】
前記接続ユニット１７、１８は、前記ディスプレイパネル１０の電極端子ブロック１０３に前記接触子１５１、１６１を押し付けてディスプレイパネル１０の引出し電極１０２に接触子１５１、１６１の取出し電極１５１ａ、１６１ａを接触させるもので、先端部が開閉自在となるように軸１７１、１８１により軸支した押えユニット１７２、１８２および受けユニット１７３、１８３と、前記押えユニット１７２、１８２を軸１７１、１８１を中心に回動させる可動機構部１７４、１８４とにより構成されており、そしてこの接続ユニット１７、１８は前記スライドベース部１３１、１４１上に軸１７５、１８５により可動可能なように軸支されて搭載されている。
【００２０】
次に、上記構成の点灯検査装置の動作について説明する。
【００２１】
図１において、検査対象のディスプレイパネル１０をパネル保持手段１４に装着し、点灯検査する場合、接続制御ブロック１４においては、まず、図４に示す接続ユニット１８とディスプレイパネル１０との干渉を避けるため、接続制御ブロック１４が干渉しない後方に一体移動する。そして、ディスプレイパネル１０が装着された後、パネル点灯ユニット１６の接触子１６１とディスプレイパネル１０の電極端子ブロック１０３とが一致する位置に、接続制御ブロック１４が先ほどとは逆方向に一体移動する。移動後、可動機構部１８４により接続ユニット１８が作動し、押えユニット１８２と受けユニット１８３との間にディスプレイパネル１０とパネル点灯ユニット１６の接触子１６１が挟み込まれ、双方が接触する。
【００２２】
また、接続制御ブロック１３においては、まず、図３に示す接続ユニット１７とディスプレイパネル１０との干渉を避けるため、接続制御ブロック１３が干渉しない後方に一体移動する。そして、ディスプレイパネル１０が装着された後、パネル点灯ユニット１５の接触子１５１とディスプレイパネル１０の電極端子ブロック１０３が一致する位置に、接続制御ブロック１３が先ほどとは逆方向に一体移動する。移動後、可動機構部１７４により接続ユニット１７が作動し、押えユニット１７２と受けユニット１７３との間にディスプレイパネル１０とパネル点灯ユニット１５の接触子１５１が挟み込まれ、双方が接触する。
【００２３】
以上の動作後、点灯信号発生手段１５３、１６３からは、パネル点灯ユニット１５、１６の接触子１５１、１６１を介して、各々点灯信号がディスプレイパネル１０に供給され、点灯表示が行われる。検査終了後は、上記同様の動作でディスプレイパネル１０との干渉回避を行い、ディスプレイパネル１０の取り外し、交換が行われ、検査が繰り返される。
【００２４】
以上のように本実施の形態によれば、ディスプレイパネル１０の着脱時において、点灯信号発生手段１５３、１６３とパネル点灯ユニット１５、１６の接触子１５１、１６１が接続ユニット１７、１８と一体移動するため、点灯信号発生手段１５３、１６３と接触子１５１、１６１とを接続する配線手段１５４、１６４の距離が一定でディスプレイパネル１０との干渉回避を行うことができる。これにより、製品と同等の長さの配線手段１５４、１６４を用いることができ、フラットパネルディスプレイ点灯検査装置において製品時の表示品位を忠実に再現することが可能である。
【００２５】
また、本実施の形態ではディスプレイパネルの短辺側と長辺側とで電極端子ブロックの位置を表裏で変えるようにしているが、同一面側に電極端子ブロックを配置する場合でも同様な効果が得られる。
【００２６】
図５は本発明の他の実施の形態における点灯検査装置の要部を示す図であり、電極端子ブロック１０３が下面側になるようにして点灯検査を行う場合の例を示している。この実施の形態の接続制御ブロック１９においては、図５に示すように、本体ベース１１上に固定したパネル点灯ユニット２０と、このパネル点灯ユニット２０に対して、矢印方向に移動可能な接続ユニット２１とで構成されている。
【００２７】
前記パネル点灯ユニット２０は、前記ディスプレイパネル１０の電極端子ブロック１０３に対応させて、複数個の接触子２０１を、この接触子２０１の取出し電極が上面側となるように、本体ベース１１に取り付けた複数個の保持ブロック２０２で保持することにより配設し、かつ本体ベース１１上に前記接触子２０１にディスプレイパネル１０を点灯表示させるための信号を供給する点灯信号発生手段２０３を配設することにより構成され、前記点灯信号発生手段２０３と前記接触子２０１とは、配線手段２０４を介して接続されている。
【００２８】
前記接続ユニット２１は、前記ディスプレイパネル１０の電極端子ブロック１０３に前記接触子２０１を押し付けてディスプレイパネル１０の引出し電極１０２に接触子２０１の取出し電極を接触させるもので、先端部が開閉自在となるように軸２１１により軸支した押えユニット２１２および受けユニット２１３と、前記押えユニット２１２を軸２１１を中心に回動させる可動機構部２１４とにより構成されており、そしてこの接続ユニット２１の受けユニット２１３は、前記パネル点灯ユニット２０の保持ブロック２０２が取り付けられる本体ベース１１の保持板１１１にスライド可能なように保持されている。
【００２９】
この実施の形態では、ディスプレイパネル１０の電極端子ブロック１０３が下面側にあり、一方パネル点灯ユニット２０の接触子２０１の取出し電極が前記ディスプレイパネル１０の電極端子ブロック１０３に対向させて上面側になるように配設されている。
【００３０】
したがって、ディスプレイパネル１０をパネル保持手段１２により保持して点灯検査する場合、パネル点灯ユニット２０がディスプレイパネル１０の脱着時に、ディスプレイパネル１０に干渉することがないため、接続ユニット２１のみがディスプレイパネル１０との干渉を避けるように、後方に移動する。そして、ディスプレイパネル１０が装着された後、接続ユニット２１が、先程とは逆方向に移動し、移動後、可動機構部２１４により押えユニット２１２が作動し、押えユニット２１２と受けユニット２１３との間に、ディスプレイパネル１０とパネル点灯ユニット２０の接触子２０１が挟み込まれ、双方が接触し、点灯信号発生手段２０３から点灯信号がディスプレイパネル１０に供給され、点灯表示が行われる。検査終了後は、上記同様の動作で、接続ユニット２１が後方に移動してディスプレイパネル１０との干渉回避を行った後、ディスプレイパネル１０の取り外し、交換が行われ、検査が繰り返される。
【００３１】
以上のように本実施の形態においても、パネル点灯ユニット２０の接触子２０１と点灯信号発生手段２０３との間の配置距離が一定でディスプレイパネル１０との干渉回避を行うことができる。これにより、製品と同等の長さの配線手段２０４を用いることができ、ディスプレイ点灯検査装置において製品時の表示品位を忠実に再現することが可能である。
【００３２】
なお、本実施の形態では、ディスプレイパネル１０の全ての電極端子ブロック１０３が下面側にあり、パネル点灯ユニット２０の接触子２０１の取出し電極が上面側にある接続制御ブロック１９を用いる例を説明したが、図１〜図４に示す実施の形態において、ディスプレイパネル１０の短辺側の接続制御ブロック１４の代わりに、図５に示す接続制御ブロック１９を用い、ディスプレイパネル１０の長辺側には接続制御ブロック１３を用いるというように、接続制御ブロック１３と組み合わせて使用してもよい。
【００３３】
【発明の効果】
以上のように本発明によれば、ディスプレイパネルの点灯検査において、ディスプレイパネルの着脱時に、パネル点灯ユニットの点灯信号発生手段と接触子との配置距離を一定として、ディスプレイパネルと接続制御ブロックとの干渉を回避することができ、製品と同等の長さの配線手段を用いることができるため、製品時の表示品位を忠実に再現することが可能で、検査の高精度化を図ることができることにより、後工程への不良パネルの流出を防止でき、製造工程でのロスコストを大幅に低減することが可能である。
【図面の簡単な説明】
【図１】本発明の一実施の形態におけるディスプレイパネルの点灯検査装置の全体構成を示す斜視図
【図２】同装置の要部構成を示す平面図
【図３】同装置の要部構成を示す概略構成図
【図４】同装置の要部構成を示す概略構成図
【図５】本発明の他の実施の形態による点灯検査装置の要部構成を示す概略構成図
【符号の説明】
１０  ディスプレイパネル
１１  本体ベース
１３、１４、１９  接続制御ブロック
１５、１６、２０  パネル点灯ユニット
１７、１８、２１  接続ユニット
１０２  引出し電極
１０３  電極端子ブロック
１３１、１４１  スライドベース部
１５１、１６１、２０１  接触子
１５１ａ、１６１ａ  取出し電極
１５３、１６３、２０３  点灯信号発生手段
【図１】
2004170235.tif 000003
【図２】
2004170235.tif 000004
【図３】
2004170235.tif 000005
【図４】
2004170235.tif 000006
【図５】
2004170235.tif 000007